(57)【特許請求の範囲】
【請求項１】
複数の端子收容室を有するハウジング本体の側部から装着され、前記端子收容室内に挿入された接続端子を一時仮係止する端子仮係止ランスと、複数の前記接続端子を一括して本係止する端子本係止部とを備えたコネクタのサイドスペーサ構造であって、
前記端子仮係止ランスの少なくとも一方の側端部の前方への傾斜角度は、前記接続端子の前端上面角部と、接続部の上面に形成された仮係止突起の前方上面角部とを結ぶ仮想線の傾斜角度より大きいことを特徴とするコネクタのサイドスペーサ構造。
【請求項２】
前記サイドスペーサは、前記端子仮係止ランスの少なくとも一方の側端部に、前記接続端子挿入時に該接続端子の前端が必ず当接する端子当て部を備えていることを特徴とする請求項１に記載のコネクタのサイドスペーサ構造。
【発明の詳細な説明】
【０００１】
【発明の属する技術分野】
本発明は、コネクタのサイドスペーサに関し、詳しくは端子收容室に接続端子を挿入する際、一定の挿入抵抗で接続端子を容易に挿入できるコネクタのサイドスペーサ構造に関する。
【０００２】
【従来の技術】
図６に示したように、従来の雌型接続端子１は、銅合金の薄板を曲げ加工して箱型に成形された接触部１ａを有している。図７に示したように、接触部１ａのの上面には凸部１ｂが薄板の端部を曲げ加工して形成されている。
雌型接続端子１は、ハウジング本体２に形成された端子收容室２ａに挿入され、端子收容室２ａ内に形成されたランス２ｂの前端突起部２ｃと凸部１ｂとを係合させ、雌型接続端子１の抜けが防止された状態でハウジング本体２内に保持されている。
【０００３】
【発明が解決しようとする課題】
しかしながら、機器類の小型化が進むのに伴なってコネクタ自体の小型化要求されているが、上述した従来のコネクタでは、小型化したハウジング本体２及び雌型接続端子１の製造が難しい。特に、ランス２ｂ及び凸部１ｂは非常に小さくなり、ランス２ｂの成形及び曲げ加工による凸部１ｂの形成が困難であるという問題があった。
また、小型化に伴いランス２ｂと凸部１ｂとの係合面積も小さくなって、係合力が不足したり、雌型接続端子１に抜け力が作用した場合、掛り代の少ない合成樹脂で製作されているランス２ｂが凸部１ｂによって削られ、ハウジング本体２内での雌型接続端子１の係止が不完全となるという問題があった。
また、雄型接続端子及び雌型接続端子１の接続を確実に保証することが難しいという問題があった。
【０００４】
また、十分な係合力を持たせるために、雌型接続端子１に大きな突起部を形成してランス２ｂとの係合面積を増大させるようにしたものが提案されているが、該突起部が障害となって雌型接続端子１のハウジング本体２への挿入が難しくなり、小さな雌型接続端子１に十分大きな突起部を形成することが困難であった。
【０００５】
本発明は、小型のコネクタであるにも係わらず、接続端子を容易にハウジング本体に挿入することができ、且つ接続端子を確実に係止してコネクタの中途嵌合を防止できるようにしたコネクタのサイドスペーサ構造を提供することを目的としている。
【０００６】
【課題を解決するための手段】
本発明の請求項１記載のコネクタのサイドスペーサ構造は、複数の端子收容室を有するハウジング本体の側部から装着され、前記端子收容室内に挿入された接続端子を一時仮係止する端子仮係止ランスと、複数の前記接続端子を一括して本係止する端子本係止部とを備えたコネクタのサイドスペーサ構造であって、
前記端子仮係止ランスの少なくとも一方の側端部の前方への傾斜角度は、前記接続端子の前端上面角部と、接続部の上面に形成された仮係止突起の前方上面角部とを結ぶ仮想線の傾斜角度より大きいことを特徴とする。
【０００７】
前記構成のコネクタのサイドスペーサ構造によれば、接続端子をハウジング本体に挿入する際、接続端子の前端上面角部が必ず端子仮係止ランスの下面に当接して弾性力に抗して該端子仮係止ランスを上方に撓ませて挿入され、接続端子は端子仮係止ランスを接続端子の平坦な上面に摺動させながら挿入される。
従って、接続端子の挿入抵抗は、挿入が完了して接続端子の前端がハウジング本体の前壁に当接するまで一定の摺動抵抗であり、容易に挿入することができると共に、挿入完了は前壁への当接による挿入抵抗の急増によって確実に判別することができ、接続端子の中途嵌合状態を防止することができる。
【０００８】
また、本発明の請求項２記載のコネクタのサイドスペーサ構造は、上記請求項１記載のサイドスペーサ構造であって、前記サイドスペーサは、前記端子仮係止ランスの少なくとも一方の側端部に、前記接続端子挿入時に該接続端子の前端が必ず当接する端子当て部を備えていることを特徴とする。
【０００９】
前記構成のサイドスペーサ構造によれば、端子仮係止ランスの少なくとも一方の側端部に端子当て部が設けられ、接続端子の挿入時に該端子当て部に必ず接続端子の前端が当接して端子仮係止ランスを上方に撓ませるので、接続端子の接続部上面に形成された仮係止突起が端子仮係止ランスに当接することなく挿入され、挿入抵抗の変化がなく、容易に接続端子を挿入することができ、端子挿入性を大幅に向上させることができる。
【００１０】
【発明の実施の形態】
以下、本発明のコネクタのサイドスペーサ構造の一実施形態を図１乃至図５に基づいて詳細に説明する。図１は本発明のコネクタのサイドスペーサ構造の一実施形態を示す斜視図、図２は図１におけるサイドスペーサにより係止される接続端子の斜視図、図３は図１におけるサイドスペーサの仮係止状態を示す部分破断縦断面図、図４は図１におけるサイドスペーサの本係止状態を示す部分破断縦断面図、図５は図１におけるサイドスペーサと接続端子の当接状態を示す作用説明図である。
【００１１】
本実施形態に適用されるコネクタは、サイドスペーサ３０、ハウジング本体４０、雌端子５０とからなり、サイドスペーサ３０はハウジング本体４０の側部から装着される。すなわち、予めサイドスペーサ３０をハウジング本体４０に仮係止位置に装着させてから、端子收容室４１内に雌端子５０を挿入して、さらにサイドスペーサ３０を本係止位置に押し込む。これにより、端子收容室４１内に挿入された雌端子５０を本係止してハウジング本体４０からの抜けを防止するように構成されている。
【００１２】
図１に示すように、サイドスペーサ３０は、合成樹脂を射出成形して形成されており、断面Ｕ字型のアウター部材３１から２本の板状の枝板３２がＵ字型の底部から開放端に向かって平行に突設されている。この枝板３２からは、該サイドスペーサ３０をハウジング本体４０に装着したとき、該ハウジング本体４０の前端４２に向かうに従って次第に下方に向かって傾斜する板状の端子仮係止ランス３５及びブロック状の端子本係止部３６とが交互に形成されている。
なお、端子仮係止ランス３５は、ハウジング本体４０に装着したとき該ハウジング本体４０の前端４２に近い側に枝板３２から突設して設けられ、端子本係止部３６はハウジング本体４０の後端側に形成され、端子仮係止ランス３５と端子本係止部３６とが千鳥状に配置されている。
【００１３】
端子仮係止ランス３５の下面には、一方の側端部に前方への傾斜角度β（図５参照）の傾斜を持ったリブ状の端子当て部３８が形成されている。アウター部材３１の両開放端には、内側に向かってガイドリブ３３が形成され、後述するハウジング本体４０の係合溝４３と係合して該ハウジング本体４０に組付けられる。
【００１４】
図３に示すように、ハウジング本体４０は、合成樹脂を射出成形して形成されており、雌端子５０を收容する複数（図に示す実施形態では４本）の端子收容室４１が形成され、該端子收容室４１の後端側から雌端子５０を矢印Ａ方向に挿入できるようになっている。また、端子收容室４１の前端４２に設けられた壁には、雄型接続端子（図示せず）を挿入する挿通穴４５が形成されている。
【００１５】
また、ハウジング本体４０の上下面の先端側には、係合溝４３が形成されると共に、側面側にはサイドスペーサ３０の枝板３２を挿入するための穴（図示せず）が形成されている。また、係合溝４３にサイドスペーサ３０のガイドリブ３３を嵌合させながらサイドスペーサ３０を押圧してハウジング本体４０に組み付けるように構成されている。
【００１６】
図２に示すように、雌端子５０は、銅合金性の薄板を曲げ加工して形成されており、先端部の絶縁被覆１４ａが除去された芯線１４ｂが芯線加締部５０ｂにより、絶縁被覆１４ａが被覆加締部５０ａによって圧着されて電線１４に接続されている。芯線加締部５０ｂの前方には、角筒状の接続部５０ｃが設けられ、該接続部５０ｃ上面の後端側中央には、ハウジング本体４０への誤挿入を防止するための仮係止突起５１が軸方向に形成されている。
【００１７】
また、接続部５０ｃ上面の仮係止突起５１後端には、仮係止溝５３が形成され、仮係止溝５３後端には、本係止突起５２が形成されている。また、本係止突起５２の後端には、本係止溝５８が形成されている。仮係止溝５３の前端５３ａが端子仮係止ランス３５と係合し、本係止溝５８の前端５４が端子本係止部３６と係合する。
【００１８】
次に、本実施形態のサイドスペーサの作用を説明する。
図３に示すように、ハウジング本体４０の係合溝４３にサイドスペーサ３０のガイドリブ３３を嵌合させながら、ハウジング本体４０の側部に形成された穴からサイドスペーサ３０の枝板３２を挿入する。すなわち、サイドスペーサ３０を押圧することで、端子仮係止ランス３５が端子收容室４１内に位置する仮係止位置まで進入する。
【００１９】
次に、雌端子５０をハウジング本体４０の後端（図３中左方向）から端子收容室４１に矢印Ａ方向に挿入すると、雌端子５０の先端５５が端子仮係止ランス３５の端子当て部３８に当接する。
図５に示すように、本実施形態のサイドスペーサ３０の端子当て部３８の前方への傾斜角度βは、雌端子５０の前端上面角部５６と仮係止突起５１の前方上面角部５７とを結ぶ仮想線Ｌの傾斜角度αより大きく設定されている。従って、仮係止突起５１が端子当て部３８に当接することはなく、必ず先端５５が端子当て部３８に当接する。
【００２０】
図４に示すように、雌端子５０を矢印Ａ方向に押圧すると、端子仮係止ランス３５は弾性力に抗して上方に撓んで逃げ、端子当て部３８が接続部５０ｃ上面及び仮係止突起５１の側部を摺動する。更に、雌端子５０を矢印Ａ方向に挿入すると、雌端子５０の先端５５がハウジング本体４０の前端４２の壁に当接する。
【００２１】
ここで、端子仮係止ランス３５は上方への撓みが復帰して仮係止溝５３内に入り込み、仮係止溝５３の前端５３ａが端子仮係止ランス３５と係合して雌端子５０が仮係止される。
すなわち、雌端子５０挿入の全過程で、端子当て部３８は仮係止突起５１に当接することはなく、仮係止突起５１の側部を摺動しながら挿入されるので、雌端子５０には常に一定の挿入抵抗力が作用し、容易に挿入することができる。
また、雌端子５０が最終位置まで挿入されると、雌端子５０の先端５５がハウジング本体４０の前端４２の壁に当接して挿入抵抗が急増するので、挿入作業完了を確実に感知することができる。
【００２２】
次に、サイドスペーサ３０をさらに押圧して、端子本係止部３６が本係止溝５８に挿入された本係止位置まで進入し、該端子本係止部３６と本係止溝５８の前端５４とを係合させることで、雌端子５０を本係止することができる。
【００２３】
ところで、雌端子５０が最終位置まで挿入されていないと、端子本係止部３６は本係止溝５８内に進入することはできない。従って、サイドスペーサ３０がハウジング本体４０の側方に突出した状態となるので、雌端子５０の挿入が不完全であることが目視によって容易に検出でき、雌端子５０の中途嵌合を防止することができる。
また、端子本係止部３６と本係止溝５８との係合面積は大きいので、雌端子５０に抜け出し力が作用しても確実にハウジング本体４０に係止される。
【００２４】
なお、本実施形態のサイドスペーサ構造は、４個の雌端子５０に適用される形態を一例に説明したが、多極数の雌端子５０にも適用することができる。
【００２５】
【発明の効果】
以上説明したように発明の請求項１記載のコネクタのサイドスペーサ構造によれば、接続端子をハウジング本体に挿入する際、接続端子の前端が必ず端子仮係止ランスの下面に当接し、弾性力に抗して該端子仮係止ランスを上方に撓ませて挿入され、接続端子は端子仮係止ランスを接続端子の上面の平坦部分に摺動させながら挿入される。
従って、接続端子の挿入抵抗は、挿入が完了してハウジング本体の前壁に接続端子が当接するまで、一定の摺動抵抗で容易に挿入することができると共に、挿入完了は前壁への当接による挿入抵抗の急増によって確実に判別することができる。よって、接続端子の挿入途中で挿入抵抗が増加して、挿入完了と誤って挿入作業を止めてしまう心配がなく、接続端子の中途嵌合状態を防止することができる。
【００２６】
また、発明の請求項２記載のコネクタのサイドスペーサ構造によれば、端子仮係止ランスの少なくとも一方の側端部に端子当て部が設けられ、接続端子の挿入時に該端子当て部に必ず接続端子の前端が当接して端子仮係止ランスを上方に撓ませる。従って、接続端子の接続部上面に形成された仮係止突起が端子仮係止ランスに当接することなく挿入されるので、容易に接続端子を挿入することができ、端子挿入性を大幅に向上させることができる。
【図面の簡単な説明】
【図１】本発明のコネクタのサイドスペーサ構造の一実施形態を示す斜視図である。
【図２】図１におけるサイドスペーサにより係止される接続端子の斜視図である。
【図３】図１におけるサイドスペーサの仮係止状態を示す部分破断縦断面図である。
【図４】図１におけるサイドスペーサの本係止状態を示す部分破断縦断面図である。
【図５】図１におけるサイドスペーサと接続端子の当接状態を示す作用説明図である。
【図６】従来のコネクタ構造を示す縦断面図である。
【図７】図６における接続端子の縦断面図である。
【符号の説明】
３０    サイドスペーサ
３２    枝板
３５    端子仮係止ランス
３６    端子本係止部
３８    端子当て部
４０    ハウジング本体
４１    端子收容室
５０    雌端子
５０ｃ  接続部
５１    仮係止突起
５２    本係止突起
５５    接続端子の前端
５６    接続端子の前端上面角部
５７    仮係止突起の前方上面角部
Ｌ      接続端子の前端上面角部と仮係止突起の前方上面角部とを結ぶ仮想線
α      仮想線Ｌの傾斜角度
β      端子当て部の前方への傾斜角度
【図１】
0003717057.tif 000002
【図２】
0003717057.tif 000003
【図３】
0003717057.tif 000004
【図４】
0003717057.tif 000005
【図５】
0003717057.tif 000006
【図６】
0003717057.tif 000007
【図７】
0003717057.tif 000008